(57)【要約】【課題】複合型スピーカにおいて、前方に設けられたスピーカによって後方のスピーカの音が反射、回折して特性が乱れるという課題を解決するものである。【解決手段】後方の低音用スピーカ１上に略平行に配置された２本の非磁性材からなる金属棒３間に高音用スピーカ２を挟持固着した複合型スピーカであり、非磁性材からなる金属棒３で前方の高音用スピーカ２を挟持保持することで、後方の低音用スピーカ１の前方を覆う保持手段の面積を減じて特性の乱れを抑制すると共に、非磁性材からなる金属棒３を用いることで、スピーカの磁気回路の磁束に影響を与えない優れた複合型スピーカの提供を可能とするものである。【選択図】図１
2008263257.tif 000002
【特許請求の範囲】
【請求項１】
低音用スピーカと、この低音用スピーカの前面に配置される高音用スピーカおよび／または中音用スピーカからなる複合型スピーカであって、前記低音用スピーカ上に略平行に配置された２本の非磁性材からなる金属棒間に前記高音用スピーカおよび／または中音用スピーカを挟持固着してなる複合型スピーカ。
【請求項２】
低音用スピーカのフレーム外周に２本の金属棒を結合した請求項１に記載の複合型スピーカ。
【請求項３】
低音用スピーカの外周に接着結合されたガスケット上に２本の金属棒を結合した請求項１に記載の複合型スピーカ。
【請求項４】
低音用スピーカの中心軸線上に受聴点が設定されていない請求項１、請求項２または請求項３の複合型スピーカであって、高音用スピーカおよび／または中音用スピーカを前記低音用スピーカの中心軸線から受聴点に近い位置または遠い位置に設けてなる複合型スピーカ。
【請求項５】
低音用スピーカの中心軸線上に受聴点が設定されていない請求項１、請求項２または請求項３の複合型スピーカであって、前記低音用スピーカの中心軸と受聴点を結ぶ直線に対し、略直角方向に更に移動した位置に高音用スピーカおよび／または中音用スピーカを配置した複合型スピーカ。
【発明の詳細な説明】
【技術分野】
【０００１】
本発明は各種音響機器等に使用される複合型スピーカに関するものである。
【背景技術】
【０００２】
従来の複合型スピーカを図７の複合型スピーカの断面図により説明する。
【０００３】
複合型スピーカは、「低音用スピーカ」＋「高音用スピーカ」など複数のスピーカを前後に組み合わせたものであり、同図によると、２１は外磁型の磁気回路部２１ａを有する低音用スピーカであり、２２は外磁型の磁気回路部２２ａを有する高音用スピーカであり、２２ｂは両端が前記低音用スピーカ２１のフレーム２１ｂの外周部に接着結合されるブリッジ部２２ｃと高音用スピーカ２２のフレーム部２２ｄを一体に成形してなるフレームである。
【０００４】
なお、このような従来技術としての先行技術文献情報としては、例えば、特許文献１が知られている。
【特許文献１】特開平１０−４２３８４号公報
【発明の開示】
【発明が解決しようとする課題】
【０００５】
前述の従来技術においては、フルレンジのスピーカに比べて再生帯域が広く、２つのスピーカも近接して設けられているため、マルチウェイのスピーカでありながら、フルレンジスピーカに近い音像が得られるという特徴を有するものである。
【０００６】
しかしながら、従来の複合型スピーカでは前述のようにブリッジ部２２ｃをフレーム２２ｄに一体成形して形成しているが、樹脂成形品である以上、高音用スピーカ２２を保持するために構造上大きくならざるを得ず、高音用スピーカ２２本体とブリッジ部２２ｃによって低音用スピーカ２１の前面を覆う範囲が大きく、低音用スピーカ２１の音が反射・回折して特性が乱れる可能性があった。
【０００７】
さらに、低音用スピーカ２１と高音用スピーカ２２が重複再生する高音域では、位相干渉によって音圧が低下するという課題を有するものであった。
【０００８】
また、複合型スピーカとして特別な部品となる高音用スピーカ２２のフレーム部２２ｄとブリッジ部２２ｃの一体成型品であるフレーム２２ｂが必要となるという課題を有するものであった。
【課題を解決するための手段】
【０００９】
上記課題を解決するために、本発明の複合型スピーカは、低音用スピーカと、この低音用スピーカの前面に配置される高音用および／または中音用スピーカからなり、前記低音用スピーカの前面に２本の非磁性材料よりなる金属棒により前記高音用および／または中音用スピーカを固着するものであり、非磁性材料よりなる金属棒により前面のスピーカを保持するので、スピーカの磁気回路の磁気ギャップの磁束密度に影響を与えず、前面のスピーカの保持を金属棒という必要最小限の保持部品で行なうことで、低音用スピーカの前面を覆う範囲を減少させて、スピーカ特性の乱れを抑制するものである。
【発明の効果】
【００１０】
以上のように本発明による複合型スピーカは、非磁性材料の金属棒の追加のみで、２つの単独のスピーカの使用を可能とし、スピーカとしては従来の組立工法を踏襲して製作でき、安価でスピーカ特性に優れた複合型スピーカの提供を可能とするものである。
【発明を実施するための最良の形態】
【００１１】
以下、本発明の一実施の形態を図１〜図６により説明する。
【００１２】
（実施の形態１）
本発明の複合型スピーカの一実施の形態を図１の斜視図および図２の上面図により説明する。本実施の形態は主として請求項１〜請求項３の複合型スピーカについて説明するものである。
【００１３】
同図によると、１は低音用スピーカであり、２は高音用スピーカ、３は一対の略平行に設けられたアルミニウムやステンレスからなる非磁性の金属棒である。
【００１４】
なお、４は前記高音用スピーカ２のリード線であり、前記非磁性の金属棒３に夫々巻きつけて、前記低音用スピーカ２の外まで導出されている。
【００１５】
また、５は前記低音用スピーカ１の磁気回路、６は同フレーム、７はフレーム６の外周に接着結合されたリング状のガスケット、８はボイスコイル（図示せず）に内周を接着結合すると共に、外周を前記フレーム７の外周にエッジ９を介して接着結合した振動板であり、１０は前記ボイスコイル（図示せず）の上部を覆うように接着結合されたダストキャップである。
【００１６】
図から明らかなように、高音用スピーカ２は、その下部を一対の非磁性の金属棒３で挟持し、接着やカシメなどの既知の固着手段により高音用スピーカ２のフレーム２ａの裏側平面部（図示せず）に保持されている。このとき、一対の非磁性の金属棒３の間隔を高音用スピーカ２の挟持部分の幅よりも若干狭くすることで挟持力が高まり、固定位置の特定や仮止めが容易となる。なお、非磁性の金属棒３は強度を保つ範囲で細いものが望ましく、前述のアルミニウムやステンレスの他にベリリウムやリン青銅などの非磁性金属でもよく、また、ピアノ線なども使用可能である。
【００１７】
なお、本実施の形態においては、リング状のガスケット７上に非磁性の金属棒３の両端部分を結合するものとして図示しているが、フレーム６上に結合してもよく、結合手段もカシメ等の既知の手段で行なえばよいものである。
【００１８】
以上のように、非磁性の金属棒３のような棒状や線状の保持部材を用いることで、高音用スピーカ２の磁気回路の磁力への影響を回避して、高音用スピーカ２の特性劣化を防止するとともに、低音用スピーカ１上の保持部材の占有面積を小さくして低音用スピーカの放音の障害となる遮蔽物を減少させ、特性の乱れを減少させるものである。
【００１９】
なお、前記高音用スピーカ２が小型であれば更にその効果は大きくなる。
【００２０】
また、本実施の形態においては、非磁性の金属棒３により高音用スピーカ２を保持するものとして説明したが、上述のごとく高音用スピーカ２を保持できるものであれば非磁性の金属線であってもよく、本発明の金属棒としては非磁性の金属線も包含されるものである。
【００２１】
また金属棒３は高音用スピーカ２のリード線と兼ねることも可能である。
【００２２】
（実施の形態２）
本発明の複合型スピーカの他の実施の形態を図３の複合型スピーカの斜視図および図４の同上面図により説明する。本実施の形態は主として請求項４について説明するものである。
【００２３】
本実施の形態は、車室内での使用を主として想定したものであり、受聴点を２つ持つものであり、上方から見たときに、この受聴点１２と受聴点１４で形成される低音用スピーカ１の中心軸と交差する直線が間になるように２つの非磁性の金属棒３が低音用スピーカ１に結合されている。
【００２４】
受聴点１２が低音用スピーカ１の中心軸１１から角度１３の位置にある場合に、中心軸１１を挟むように間隔をもって設けられた非磁性の金属棒３での高音用スピーカ２の保持位置を低音用スピーカ１の中心軸１１から受聴点１２に近くなる方向に水平に移動させたものである。
【００２５】
このとき受聴点１４は中心軸１１から角度１５を有しており、高音用スピーカ２は受聴点１４よりは遠くなる方向に移動したことになる。
【００２６】
いずれの場合も、各受聴点１２、１４に対して、高音用スピーカ２が低音用スピーカ１の遮蔽物となって放音を阻害することは回避され、両スピーカが重複して再生する高音域での音圧低下が改善される。
【００２７】
なお、受聴点１２、受聴点１４のいずれを主たる受聴位置とするかの選択は、スピーカや使用するネットワークなどの適宜の選択によっても決定できる。
【００２８】
以上のように、高音用スピーカ２の挟持保持位置を非磁性の金属棒３の範囲で受聴点側またはその反対側に移動させ、低音用スピーカ１の受聴点に対して遮蔽物となることを回避させたものである。
【００２９】
これにより、高音用スピーカ２による低音用スピーカ１の受聴点１２、１４から見たときの遮蔽の度合いを一部緩和し、位相差を抑制して、重複して再生する高音域での音圧低下が改善されるものである。
【００３０】
なお、受聴点１２、１４の位置が中心軸１１からの角度Ａが０に近いほど、低音用スピーカ１の高音用スピーカ２の位置による受聴点における位相干渉によって特性劣化が顕著となる。
【００３１】
従って、車室内に設置されるスピーカのように、スピーカから受聴点までの距離が短く、スピーカの設置位置が低くて前記角度Ａが大きいほど効果は大となる。
【００３２】
（実施の形態３）
図５、図６も本発明の複合型スピーカの他の実施の形態を説明するものであり、図５は本発明の複合型スピーカの他の実施の形態の斜視図であり、図６の同上面図である。本実施の形態は主として請求項５について説明するものである。
【００３３】
実施の形態２との相違点は、実施の形態２と同様に高音用スピーカ２の保持位置を低音用スピーカ１の中心軸１１から受聴点１２の方向に移動させ、更に、上方から見て受聴点１２と受聴点１４で形成される直線に対して略直角に移動した位置としたことである。
【００３４】
これによって、受聴点１２または受聴点１４から見た場合、低音用スピーカ１の高音域を再生する中心部（ダストキャップ１０部分）が高音用スピーカ２の遮蔽外となり、低音用スピーカ１の放射レベルが上がるため、重複して再生する高音域での音圧低下が更に改善されるものである。
【００３５】
なお、前記いずれの実施の形態においても、前方のスピーカを高音用スピーカ１として説明したが、中音用スピーカであっても同様の効果が得られるものである。
【００３６】
また、実施の形態２および実施の形態３においては２つの受聴点を持つものとして説明したが、１つの受聴点を持つものである場合は、２つの受聴点で形成する直線に代えて低音用スピーカ１の中心軸（前記中心部）と受聴点で形成する直線を用いることで、同様の効果が得られるものである。
【産業上の利用可能性】
【００３７】
本発明は、スピーカの前方に他のスピーカを配置した複合型スピーカであれば、本発明を用いることで、複合型スピーカの性能向上を図ることが可能となるものである。
【図面の簡単な説明】
【００３８】
【図１】本発明の複合型スピーカの一実施の形態の斜視図
【図２】同上面図
【図３】同他の実施の形態の複合型スピーカの斜視図
【図４】同上面図
【図５】本発明の複合型スピーカの他の実施の形態の斜視図
【図６】同上面図
【図７】従来の複合型スピーカの断面図
【符号の説明】
【００３９】
１  低音用スピーカ
２  高音用スピーカ
３  非磁性材からなる金属棒
６  フレーム
７  ガスケット
１２、１４  受聴点
【図１】
2008263257.tif 000003
【図２】
2008263257.tif 000004
【図３】
2008263257.tif 000005
【図４】
2008263257.tif 000006
【図５】
2008263257.tif 000007
【図６】
2008263257.tif 000008
【図７】
2008263257.tif 000009